(57)【要約】【課題】非常に柔軟な棒状化粧料を保持した棒状化粧料容器において、非使用時にはキャップを確実に装着するできるようにして容器自体の全長を短縮化する一方、使用時には全長を適正な長さとして、棒状化粧料の正確な塗布作業をできるようにする。【解決手段】棒状化粧料容器１の軸筒３内で、尾栓８と共に回転するカム筒１７により進退自在となるスライダー２５よりなるカートリッジ体出没機構Ａと、前方の連結孔２９に棒状化粧料１３を収容するカートリッジ体５を固持するホルダー２８の後方の連結孔２９’に固持され、その開口部３４’にリング３５及び三ツ割３６を具える案内筒よりなるノック機構Ｂとを、先端を芯チャック７の外底部７’に当接する押棒４２を保持するノック筒４０により連結するので、尾栓への回転で軸筒に対しカートリッジ体を出没自在とし、尾栓への打突で押棒を前進させカートリッジ体に対して棒状化粧料を突出させることができる。【選択図】図３
2008194115.tif 000002
【特許請求の範囲】
【請求項１】
後端に尾栓を回転自在且つ打突自在に嵌着する軸筒と、該軸筒前端の開口部に対して脱着自在となるキャップとから構成され、
該軸筒内には、脱着自在であって、棒状化粧料を突出可能に収容するカートリッジ体、尾栓と一体となり、該カートリッジ体を軸筒の開口部より出没させるカートリッジ体出没機構、及び尾栓への打突によりカートリッジ体内に収容される棒状化粧料を突出させるノック機構を内装し、
該カートリッジ体は、芯筒と、芯筒内において棒状化粧料を保持する、該芯筒内に保持された皿状の芯チャックとからなり、該芯筒の後端側は後方へ開口した凹陥部が形成され、該凹陥部にはＯリング及びブッシュからなる把持部が嵌着されるとともに、該凹陥部の底部には貫通孔が穿設され、
該カートリッジ体出没機構は、カム筒、スライダー及び該スライダーの摺動により圧縮又は伸長するスプリングから構成され、該カム筒は、円筒状のカム筒基部の前方に、頂点に位置する係止凹部を前方側として、これに連なる傾斜縁からなる略三角湾曲面のカム体を形成するとともに、その後方には尾栓と係合する係合部を形成してなるものであり、スライダーは外周面に係止突起を突設してなり、前記カム筒の傾斜縁に対して該係止突起を当接させるとともに、該係止突起とそれよりも前方の軸筒内壁との間でスプリングを保持した上での尾栓の回転によるカム筒の回転によって、スライダーの係止突起がカム筒の傾斜縁を前進してカム体の係止凹部に係合することで、スライダー自体が前進するとともに前進した状態で固定され、又、尾栓の逆回転によって前記係止突起と係止凹部との係合が解除された際には、スプリングの弾撥力によって係止突起が傾斜縁を後退して、スライダーが当初の位置に復帰するものであり、
該ノック機構は、移動自在となる押棒を内部に挿通するノック筒と、該ノック筒の先端側が挿入されるホルダー筒とからなり、ノック筒はその先端部に三ツ割の連結部を固持するとともに、略中間において径外方向へ突出する突起部とホルダー筒内壁との間にスプリングを保持し、ホルダー筒は、挿入されたノック筒の先端より前方に三ツ割孔を有して、該三ツ割孔に一定の摩擦力を有して脱着自在となるリングが嵌入され、更に該リングに対して脱着自在となるよう三ツ割が嵌入されるとともに、該リングの前方にリングストッパーが設けら、又、ホルダー筒の外側には係止突縁が設けられて、軸筒の内壁面に軸方向に設けられた案内溝に遊嵌し、前記カートリッジ体出没機構によるカートリッジ体の最大前進時において、該ホルダー筒の係止突縁が該案内溝の最先部に対して隙間を残すよう位置決めされてなるものであり、
上記ノック機構のノック筒の後端を前記スライダーに固持するとともに、ホルダー筒の先端にカートリッジ体の後端部を連結した上、該ノック筒の押棒を、芯筒の凹陥部底部に形成された貫通孔を通して芯チャック外底部に当接させることにより、
尾栓の回転によるスライダー更にはノック筒の前進に伴って、押棒を把持した状態で前記リング内に嵌入された三ツ割が前進し、該三ツ割の前進によって該リングの嵌入された三ツ割孔を有するホルダー筒が前進して、その連結されたカートリッジ体を前進させて軸筒よりカートリッジ体を突出させ、更に、尾栓を打突してのノック筒の前進に伴って、同様に押棒を把持した三ツ割の前進によってホルダー筒及びカートリッジ体が前進するものの、ホルダー筒の係止突縁が案内溝の最先端に至ることによって停止すれば、三ツ割とリングが押棒を把持しながら三ツ割孔から前方へ突出し、その後、リングがリングストッパーによって前進を停止すれば、三ツ割のみが拡開して前進することで、押棒の把持を解除し、又、尾栓の打突を停止すれば、ノック筒の突起部とホルダー筒内壁との間のスプリングの弾撥力によって、ノック筒、三ツ割及びリング、ホルダー筒並びに尾栓が復帰し、更に、尾栓の逆回転による前記係止突起と係止凹部との係合解除に基づくスライダー更にはノック筒の後退に伴って、前記押棒を把持した状態でリング内に嵌入された三ツ割が後退し、該三ツ割の後退によって、ホルダー筒が後退して、その連結されたカートリッジ体を軸筒内に後退させることを特徴とする棒状化粧料容器。
【請求項２】
後端に尾栓を回転自在に嵌着する軸筒と、該軸筒前方の開口部に対して脱着自在となるキャップとから構成され、
該軸筒内には、脱着自在であって、棒状化粧料を突出可能に収容するカートリッジ体と、尾栓と一体となり、軸筒の開口部より該カートリッジ体を出没自在とする回転筒、及び該カートリッジ体と回転筒の両者を外装する受け筒を内装し、
該軸筒は、軸筒の肉厚が厚い厚肉部を前側に、肉厚が薄い薄肉部を後側に配して、厚肉部と薄肉部との間の内壁面に周縁段部を形成すると共に、該周縁段部に案内溝後端部を形成する案内溝を厚肉部側に軸筒長手方向に刻設し、
該カートリッジ体は、芯筒、噛合孔を有する基部と雄ネジ部よりなるネジ軸、芯チャック本体内に棒状化粧料を保持し、軸部内に雌ネジ孔を有すると共にその最後端外周に係合突起を突設する芯チャック、及び該係合突起を遊嵌し案内する案内溝を有する回止筒から構成され、芯筒内において芯チャックの軸部内の雌ネジ孔内にネジ軸の雄ネジ部を噛合させる共に、ネジ軸の基部外周に、軸方向には離脱不能でありつつ同期して回転しうるよう回止筒を外装し、
該回転筒は、先端にカートリッジ体の前記ネジ軸の基部に穿設する噛合孔に対し噛合自在となる噛合部を配設するとともに、後端に外方へ突設する係合ピンからなり、
該尾栓は、軸筒後方に突出する尾栓本体と、最先端において円周方向に係止溝を設ける螺旋状のカム溝をその側面に刻設してなる筒状の挿嵌部からなり、
該受け筒は、外方に突出して前記軸筒に刻設した案内溝に遊嵌する突起部を有するものであって、
上記尾栓と回転筒とを、回転筒の係合ピンを尾栓の螺旋状のカム溝に遊嵌して一体とした上で、該回転筒とカートリッジ体のネジ軸とを、該回転筒先端の噛合部と該ネジ軸の噛合孔を噛合させ、又、受け筒と回転筒とを、軸方向には離脱不能であって、同期して回転しうるよう嵌合するとともに、受け筒とカートリッジ体の回止筒とを、軸方向には脱着可能であるものの、個別の回転は不能となるよう嵌合してなることを特徴とする棒状化粧料容器。
【発明の詳細な説明】
【技術分野】
【０００１】
本願発明は、例えばアイブロー、アイライナー、アイシャドー又はリップライナー等の棒状化粧料を出没自在に収容してなる棒状化粧料容器に関するものである。
【背景技術】
【０００２】
従来より、例えば上記各種棒状化粧料を出没自在に軸筒内に収容してなる棒状化粧料容器は、棒状化粧料を固持する昇降筒をネジ機構を利用して軸筒内で昇降させることによって、該昇降筒に固持される棒状化粧料を軸筒内外に出没させてなるものが一般的である（特許文献１参照）。更に、該棒状化粧料容器においては、該容器自体を長期間にわたって使用可能にするべく、使い果たした棒状化粧料の交換を簡易且つ確実にできるように、該棒状化粧料容器内において棒状化粧料を脱着自在である別体のカートリッジ体によって保持するものが提案されている（特許文献２参照）。
【０００３】
しかしながら、リップライナー等の棒状化粧料は、細部まで正確に塗布できるようにするため細径化が図られている上、近年流行の艶のあるリップグロスに合わせて艶のある処方としているため、棒状化粧料自体が非常に柔軟なものとなっている。そのため、該棒状化粧料容器の製造にあたっては、芯チャックを内装したカートリッジ体に溶融した化粧料を直接充填し固化させるものとしている。従って、使用するためカートリッジ体より突出させた棒状化粧料を再度カートリッジ体内に没入させようとすると、該棒状化粧料がカートリッジ体の内壁面と擦れて破断等を起こすおそれがある。すなわち、このような棒状化粧料においては、一旦カートリッジ体から棒状化粧料を突出させて後は、該棒状化粧料をカートリッジ体内に没入させることを予定しておらず、使用後はそのままキャップを装着するものとしている。ところが、カートリッジ体の先端より棒状化粧料を突出させたままの状態であると、その突出長によっては、キャップを装着した際にキャップの内側がその突出した棒状化粧料の先端に当接して、キャップを確実に装着することができず、また無理矢理キャップを装着してしまうと該棒状化粧料の先端がキャップにより潰れ、キャップが固着し、また棒状化粧料が漏出して他所を汚損するおそれがある。
【０００４】
更に、棒状化粧料容器は通常小さな鞄に入れて持ち運ぶので、その全長は短いほど有利であるが、使用時おいて棒状化粧料容器の全長があまりに短いと指により確実に保持できず、正確な塗布作業を行えないものである。
【特許文献１】特開平８−３５３号
【特許文献２】特開平１１−５６４６４号
【発明の開示】
【発明が解決しようとする課題】
【０００５】
解決しようとする問題点は、非常に柔軟な棒状化粧料を保持した棒状化粧料容器においても、非使用時においてはキャップを確実に装着することができるようにするとともに、その容器自体の全長を短縮化する一方、使用時においてはその全長を適正な長さとして、棒状化粧料の正確な塗布作業ができるようにするものである。
【課題を解決するための手段】
【０００６】
そのために、棒状化粧料容器は、棒状化粧料を突出可能に保持する脱着自在なカートリッジ体を出没自在とするとともに、該カートリッジ体に保持される棒状化粧料を突出可能にしてなるものである。
【０００７】
そして、第１の特徴として、後端に尾栓を回転自在且つ打突自在に嵌着する軸筒と、該軸筒前端の開口部に対して脱着自在となるキャップとから構成され、
該軸筒内には、脱着自在であって、棒状化粧料を突出可能に収容するカートリッジ体、尾栓と一体となり、該カートリッジ体を軸筒の開口部より出没させるカートリッジ体出没機構、及び尾栓への打突によりカートリッジ体内に収容される棒状化粧料を突出させるノック機構を内装し、
該カートリッジ体は、芯筒と、芯筒内において棒状化粧料を保持する、該芯筒内に保持された皿状の芯チャックとからなり、該芯筒の後端側は後方へ開口した凹陥部が形成され、該凹陥部にはＯリング及びブッシュからなる把持部が嵌着されるとともに、該凹陥部の底部には貫通孔が穿設され、
該カートリッジ体出没機構は、カム筒、スライダー及び該スライダーの摺動により圧縮又は伸長するスプリングから構成され、該カム筒は、円筒状のカム筒基部の前方に、頂点に位置する係止凹部を前方側として、これに連なる傾斜縁からなる略三角湾曲面のカム体を形成するとともに、その後方には尾栓と係合する係合部を形成してなるものであり、スライダーは外周面に係止突起を突設してなり、前記カム筒の傾斜縁に対して該係止突起を当接させるとともに、該係止突起とそれよりも前方の軸筒内壁との間でスプリングを保持した上での尾栓の回転によるカム筒の回転によって、スライダーの係止突起がカム筒の傾斜縁を前進してカム体の係止凹部に係合することで、スライダー自体が前進するとともに前進した状態で固定され、又、尾栓の逆回転によって前記係止突起と係止凹部との係合が解除された際には、スプリングの弾撥力によって係止突起が傾斜縁を後退して、スライダーが当初の位置に復帰するものであり、
該ノック機構は、移動自在となる押棒を内部に挿通するノック筒と、該ノック筒の先端側が挿入されるホルダー筒とからなり、ノック筒はその先端部に三ツ割の連結部を固持するとともに、略中間において径外方向へ突出する突起部とホルダー筒内壁との間にスプリングを保持し、ホルダー筒は、挿入されたノック筒の先端より前方に三ツ割孔を有して、該三ツ割孔に一定の摩擦力を有して脱着自在となるリングが嵌入され、更に該リングに対して脱着自在となるよう三ツ割が嵌入されるとともに、該リングの前方にリングストッパーが設けら、又、ホルダー筒の外側には係止突縁が設けられて、軸筒の内壁面に軸方向に設けられた案内溝に遊嵌し、前記カートリッジ体出没機構によるカートリッジ体の最大前進時において、該ホルダー筒の係止突縁が該案内溝の最先部に対して隙間を残すよう位置決めされてなるものであり、
上記ノック機構のノック筒の後端を前記スライダーに固持するとともに、ホルダー筒の先端にカートリッジ体の後端部を連結した上、該ノック筒の押棒を、芯筒の凹陥部底部に形成された貫通孔を通して芯チャック外底部に当接させることにより、
尾栓の回転によるスライダー更にはノック筒の前進に伴って、押棒を把持した状態で前記リング内に嵌入された三ツ割が前進し、該三ツ割の前進によって該リングの嵌入された三ツ割孔を有するホルダー筒が前進して、その連結されたカートリッジ体を前進させて軸筒よりカートリッジ体を突出させ、更に、尾栓を打突してのノック筒の前進に伴って、同様に押棒を把持した三ツ割の前進によってホルダー筒及びカートリッジ体が前進するものの、ホルダー筒の係止突縁が案内溝の最先端に至ることによって停止すれば、三ツ割とリングが押棒を把持しながら三ツ割孔から前方へ突出し、その後、リングがリングストッパーによって前進を停止すれば、三ツ割のみが拡開して前進することで、押棒の把持を解除し、又、尾栓の打突を停止すれば、ノック筒の突起部とホルダー筒内壁との間のスプリングの弾撥力によって、ノック筒、三ツ割及びリング、ホルダー筒並びに尾栓が復帰し、更に、尾栓の逆回転による前記係止突起と係止凹部との係合解除に基づくスライダー更にはノック筒の後退に伴って、前記押棒を把持した状態でリング内に嵌入された三ツ割が後退し、該三ツ割の後退によって、ホルダー筒が後退して、その連結されたカートリッジ体を軸筒内に後退させてなるものである。
【０００８】
そのため、尾栓を回転させと、該尾栓と一体となるカム筒が回転することで、スライダーはカム体の傾斜縁に沿って係止突起によってスプリングを圧縮しながら軸筒の開口部方向へ前進し、その後該スライダーの係止突起がカム体先端の係止凹部に係止されることで固持される。その際、スライダー内に後端を固持するノック筒は三ツ割を介してホルダー筒を前方へ押勢し、更に該ホルダー筒がカートリッジ体を同方向へ押勢して前進させるので、カートリッジ体は軸筒の開口部より突出して固持されるものとなる。
そして、その状態で尾栓を打突すると、ノック筒の前進に応じてホルダー筒更にはカートリッジ体が前進するものの、ボルダー筒の係止突縁と軸筒の案内溝の先端との係合によってホルダー筒の前進が停止させられた後は、三ツ割がリングとともに押棒を把持しながらホルダー筒の三ツ割孔から前進するので、該前進した押棒が外底部に当接する芯チャックを押勢するので、棒状化粧料は開口部より突出するものとなる。
更に尾栓の打突を停止しても、芯チャックの外底部に当接する押棒は、芯筒の凹合部に嵌着される把持部により、三ツ割が三ツ割孔内に嵌入されるまで把持しているので後退せず、常に押棒と芯チャックの外底部との当接は維持される。
【０００９】
また、使用後は、尾栓を逆回転させると、カム体先端の係止凹部からスライダーの係止突起が外れて、該スライダーの係止突起により圧縮されていたスプリングが伸長するので、スライダーはカム筒の傾斜縁に沿って軸筒内を後退する。そして該スライダーと一体であるノック筒が、三ツ割を介してホルダー筒を引張し、更に該ホルダー筒がカートリッジ体を同方向へに引張して後退させるので、カートリッジ体は軸筒内に没入する。
【００１０】
なお、棒状化粧料の交換に際しては、カートリッジ体を軸筒の開口部より最も突出させた状態で、前記カートリッジ体を引張することで、カートリッジ体をノック機構のホルダー筒より解離しながら、突出する押棒から引き抜けばよい。そして、ホルダー筒から突出した押棒をホルダー筒内へ押し戻した後、新たなカートリッジ体をホルダー筒先端に連結しつつ、カートリッジ体の把持部並びに内底部の貫通孔に押棒を挿嵌することで一体に連結し完了する。
【００１１】
そこで、第２の特徴として、後端に尾栓を回転自在に嵌着する軸筒と、該軸筒前方の開口部に対して脱着自在となるキャップとから構成され、
該軸筒内には、脱着自在であって、棒状化粧料を突出可能に収容するカートリッジ体と、尾栓と一体となり、軸筒の開口部より該カートリッジ体を出没自在とする回転筒、及び該カートリッジ体と回転筒の両者を外装する受け筒を内装し、
該軸筒は、軸筒の肉厚が厚い厚肉部を前側に、肉厚が薄い薄肉部を後側に配して、厚肉部と薄肉部との間の内壁面に周縁段部を形成すると共に、該周縁段部に案内溝後端部を形成する案内溝を厚肉部側に軸筒長手方向に刻設し、
該カートリッジ体は、芯筒、噛合孔を有する基部と雄ネジ部よりなるネジ軸、芯チャック本体内に棒状化粧料を保持し、軸部内に雌ネジ孔を有すると共にその最後端外周に係合突起を突設する芯チャック、及び該係合突起を遊嵌し案内する案内溝を有する回止筒から構成され、芯筒内において芯チャックの軸部内の雌ネジ孔内にネジ軸の雄ネジ部を噛合させる共に、ネジ軸の基部外周に、軸方向には離脱不能でありつつ同期して回転しうるよう回止筒を外装し、
該回転筒は、先端にカートリッジ体の前記ネジ軸の基部に穿設する噛合孔に対し噛合自在となる噛合部を配設するとともに、後端に外方へ突設する係合ピンからなり、
該尾栓は、軸筒後方に突出する尾栓本体と、最先端において円周方向に係止溝を設ける螺旋状のカム溝をその側面に刻設してなる筒状の挿嵌部からなり、
該受け筒は、外方に突出して前記軸筒に刻設した案内溝に遊嵌する突起部を有するものであって、
上記尾栓と回転筒とを、回転筒の係合ピンを尾栓の螺旋状のカム溝に遊嵌して一体とした上で、該回転筒とカートリッジ体のネジ軸とを、該回転筒先端の噛合部と該ネジ軸の噛合孔を噛合させ、又、受け筒と回転筒とを、軸方向には離脱不能であって、同期して回転しうるよう嵌合するとともに、受け筒とカートリッジ体の回止筒とを、軸方向には脱着可能であるものの、個別の回転は不能となるよう嵌合してなるものである。
【００１２】
そのため、尾栓を一方方向へ回転させると、該尾栓と一体となる回転筒が軸筒長手方向に前進するので、軸筒の内壁面の案内溝に案内されて受け筒及びカートリッジ体は同方向へ前進することで、軸筒の開口部よりカートリッジ体が突出する。そして、該回転筒の係合ピンが尾栓の挿嵌部の係止溝に至ると、尾栓と回転筒とは供回りすることとなるが、その際、回転筒が嵌合されている受け筒は軸筒の案内溝に遊嵌していることから回転せず、回転筒のみが回転することとなる。そして、その回転筒の回転は噛合部とネジ軸の噛合孔との噛合によりネジ軸に伝達される。ところが、該ネジ軸の基部外周には回止筒が外装されており、該回止筒は受け筒との間で個別の回転が不能なように嵌合されていることから、回止筒は回転せず、ネジ軸のみが回転することとなる。そして、その回転しない回止筒の案内溝に遊嵌された係合突起を有することによって回転しない芯チャックの雌ネジ孔内において、ネジ軸の雄ネジ部が回転することにより、芯チャックは前記回止筒の案内溝に従って芯筒内を前進するため、棒状化粧料は芯筒の開口部より突出するものとなる。
【００１３】
また、使用後は、尾栓を逆回転させることで回転筒は尾栓の挿嵌部内すなわち軸筒内を後退するものとなり、該回転筒と軸方向に離脱不能に嵌合されている受け筒、更に該受け筒と嵌合されている回止筒、並びに該回止筒と軸方向に離脱不能に嵌合されているネジ軸がそれぞれ軸筒内を後退することによって、カートリッジ体は軸筒内に没入する。このとき、カートリッジ体を十分に軸筒内に没入させることで、受け筒の突起部は軸筒の案内溝から離脱するものとなる。従って、その後尾栓をさらに逆回転させても、受け筒並びにカートリッジ体は回転筒と共に回転してしまい、カートリッジ体の芯チャックには尾栓の回転が伝わらないので、棒状化粧料が芯筒内に没入することでの破損を防止できる。
【００１４】
なお、棒状化粧料の交換に際しては、カートリッジ体を軸筒の開口部より最も突出させた状態で、該カートリッジ体を引張することで、回転筒の噛合部とネジ軸の噛合孔との噛合及び、受け筒と回止筒との嵌合を解離すればよい。そして、新たなカートリッジ体のネジ軸の噛合孔を軸筒内の回転筒先端の噛合部に噛合させるとともに、受け筒と回止筒とを嵌合させることで完了する。
【発明の効果】
【００１５】
本願発明は、細径化され、且つ非常に柔軟な棒状化粧料を棒状化粧料容器より円滑に出没させることができるとともに、その交換もカートリッジ体により簡易且つ確実に行うことができるという優れた効果を有する。
【実施例１】
【００１６】
図１乃至図６に示す１は、本願発明の実施例１における棒状化粧料容器である。該棒状化粧料容器１は、後端に止め筒１６とともに、後方に突出する尾栓１４を嵌着する軸筒３と、該軸筒３前端の開口部３’に対して脱着自在となるキャップ２とから構成されるものである。（なお、本明細書においては、棒状化粧料容器１の尾栓１４方向を後ろ、軸筒３の開口部３’方向を前もしくは先として方向を指示する。）
【００１７】
そして、上記軸筒３内には、脱着自在であって、棒状化粧料１３を突出可能に収容するカートリッジ体５を、上記尾栓１４と一体となり、軸筒３の開口部３’より出没させるカートリッジ体出没機構Ａ、及び尾栓１４への打突によりカートリッジ体５内に収容される棒状化粧料１３をカートリッジ体５より突出させるノック機構Ｂを内装するものである。
【００１８】
ここで、上記尾栓１４はその内部に、軸筒３の後端より突出するカム筒１７（後述する）の係合部２１に一体に係合する凹陥孔１５を穿設してなるものである。
【００１９】
そして上記カートリッジ体５は、芯筒６及び芯チャック７からなり、該芯筒６はその後端側に、棒状化粧料１３を保持する皿状の芯チャック７を保持する段部を有する。更にその後端を前後方向に断面略Ｈ形状とした上、該断面略Ｈ形状部分の後端側に開口して形成される凹陥部８内に、Ｏリング１０及びブッシュ１１からなる把持部１２が形成され、該凹陥部８の底部となる部分に前後方向へ貫通する貫通孔９が穿設されている。
【００２０】
又、上記カートリッジ体出没機構Ａは、カム筒１７とスライダー２５、及び該スライダー２５の摺動により圧縮又は伸長するスプリング２７とからなるものである。そして、カム筒１７は、頂点に位置する滑らかな曲面から形成される係止凹部１９と、該係止凹部１９に連なる垂直縁２４と傾斜縁２０を有する略三角湾曲面のカム体１８を、係止凹部１９を前方に向けて２個対向するように、円筒形状のカム筒基部２３に配設した上、該カム筒基部２３の後方には前記尾栓１４と係合する係合部２１を形成してなるものである。又、スライダー２５は、前後方向に断面略Ｈ形状の略円筒形状であって、その外周面略中央に、前記カム筒１７の傾斜縁２０に沿って移動する係止突起２６を対向して２個突設して設けるものである。そして、スプリング２７は、該スライダー２５の係止突起２６と軸筒３の略中間部において内方に設けられた段部４３との間に掛け渡されている。
【００２１】
なお、上記カム筒基部２３の側周面には対向する位置に径外方向へ突出する係止縁２２が軸と平行に形成され、又、軸筒３の後端に嵌着される止め筒１６の内壁面にも対向する位置に径内方向へ突出する係止突縁１６’が軸と平行に形成されている。このため、尾栓１４を回転させることによってカム筒１７が回転すると、所定の回転角でカム筒１７の係止縁２２と止め筒１６の係止突縁１６’とが係合してそれ以上の尾栓８の回転を阻止する。その結果、過剰な尾栓１４の回転は抑制されるので、カム筒１７の傾斜縁２０がスライダー２５の係止突起２６を押勢することによる、スライダー２５の前進、及びその前進した係止突起２６のカム体１８の係止凹部１９に対する係合が、確実になされるものとなる。
【００２２】
また前記ノック機構Ｂは、ホルダー２８と案内筒３３、並びにノック筒４０とから構成され、案内筒３３の先端部３４をホルダー２８に嵌入して一体とする一方、ノック筒４０の後端はスライダー２５内に固持され、又、先端は案内筒３３内に挿入されている。そしてホルダー２８は、軸筒３の内壁面に軸方向に等間隔に刻設される４条の案内溝４にそれぞれ遊嵌される４個の係止突縁３２を外周面に有するとともに、前後方に開口する連結孔２９、２９’を有する断面略Ｈ形状の円筒体であって、該連結孔２９、２９’の内底部は貫通孔３０により互いに連通するとともに、後方向に開口する連結孔２９’内に段部３１形成されている。尚、前記カートリッジ体出没機構Ａの作動によってホルダー２８が最大限に前進した際においても、該ホルダー２８の係止突縁３２が軸筒３に刻設される案内溝４の最先端に位置することなく、該案内溝４に若干の隙間が残るよう位置決めがなされている。又、案内筒３３は、径小の先端部３４と径大の案内筒基部３７とからなり、更に案内筒基部３７内部には段部３８が設けられて、案内筒基部３７の後部内径が大きく設定されている。そして、該先端部３４の先端には、三ツ割孔となる開口部３４’が設けられ、該開口部３４’には、開口部３４’より出没自在となるリング３５が嵌入されるとともに、該リング３５に対して出没且つ開閉自在に嵌入され、その後端縁の連結部３６’をノック筒４０の先端部に固持してなる三ツ割３６が配設される。そして、該先端部３４は前記ホルダー２８の後方の連結孔２９’内の段部３１に係合するとともに嵌合されて一体となっている。一方、ノック筒４０は、スライダー２５の前後への移動に応じて、案内筒３３及びホルダー２８内において移動するものであって、その内部に押棒４２を挿通しており、該押棒４２は前記ホルダー２８より前方へ突出して、カートリッジ体５の芯筒６内の芯チャック７の外底部７’に当接している。又、ノック筒４０は案内筒３３内においてスプリング３９を一体に外装しており、該スプリング３９の先端は案内筒３３の案内筒基部３７内部に設けられた段部３８に、又、後端はノック筒４０の略中間部において径外方向に対向して突出する突起部４１にそれぞれ係止している。
【００２３】
そこで、この棒状化粧料容器１において、上記尾栓１４、カートリッジ体出没機構Ａ、ノック機構Ｂ及びカートリッジ体５は、尾栓１４の凹陥孔１５とカム筒１７の係合部２１との係合、スライダー２５内でのノック筒４０後端の固持、並びにホルダー２８の前方に開口する連結孔２９に対するカートリッジ体５後端の嵌合によって、一体に連結されるものである。そして、ノック筒４０内に保持される押棒４２は、案内筒３３の開口部３４’、ホルダー２８の貫通孔３０、及び芯筒６後端に設けられた貫通孔９をそれぞれ貫通して、芯筒６内に設けられた芯チャック７の外底部７’に当接している。
【００２４】
以上のように、本願発明の実施例１における棒状化粧料容器１は構成されるので、使用者は次のようにして上記棒状化粧料容器１を使用に供するものである。
すなわち、軸筒３内部の密閉性を保持するため軸筒３の開口部３’を閉塞するように装着されているキャップ２は、引張することで軸筒３より脱離する。
次に、軸筒３の後端に突出して保持される尾栓１４を、尾栓１４と一体になるカム筒１７の係止縁２２が、止め筒１６の係止突縁１６’に当接するまで回転させる。該尾栓１４の回転によるカム筒１７の回転により、スライダー２５は、その外周に突設する係止突起２６がカム体１８の傾斜縁２０に沿ってスプリング２７を圧縮しつつ前進する。このとき、該スライダー２５内に後端を固持するノック筒４０も、スライダー２５に押勢されて同様に軸筒３内を前進するものである。
更に、該スライダー２５の係止突起２６は、カム体１８の傾斜縁２０に沿って移動した後、該カム体１８の先端に有する係止凹部１９内に係合することにより、固定される。この状態で、ノック筒４０もスライダー２５の移動距離だけ前進して固定されることとなり、このノック筒４０の前進に応じて、ノック筒４０の先端部に固持された連結部３６’が前進し、該連結部３６’の前進に伴って、案内筒３３の先端の開口部３４’に設けられたリング３５内に保持された三ツ割３６が、押棒４２を把持したまま前進することから、該三ツ割３６が前記リング３５を介して案内筒３３を前進させ、更に該案内筒３３の前進によって、軸筒３の内壁面に刻設する案内溝４に係止突縁３２を遊嵌するホルダー２８も、軸筒３内を前進し、該案内溝４内において係止突縁３２の先端にわずかな隙間を残して固定される。
その結果、カートリッジ体５を構成する芯筒６の後端がホルダー２８の前方に開口する連結孔２９に嵌合しているので、ホルダー２８が前進して固定されることによって、カートリッジ体５は軸筒３より突出して固定される。
【００２５】
そして、尾栓１４を打突すると、今度はノック筒４０の内部に保持される押棒４２がノック機構Ｂにより徐々に軸筒３内を前進するものとなる。すなわち、尾栓１４を１回打突することにより、スライダー２５がその１回の打突分（ホルダー２８の係止突縁３２が案内溝４内においてその先端に残す隙間分）だけ前進し、該スライダー２５内に後端を固持されるノック筒４０も同じ隙間分だけ前方に押勢される。この時、該ノック筒４０はその先端部に固持する三ツ割３６の連結部３６’を前進させることによって、三ツ割３６とリング３５を介して一体となった案内筒３３を前進させ、更にその案内筒３３がホルダー２８を前進させるものの、前述のように、ホルダー２８の係止突縁３２が案内溝４の最先端まで到達すると、ホルダー２８はそれ以上前進できなくなることから、更なる三ツ割３６の連結部３６’の前進によって、案内筒３３の先端部３４の開口部３４’に対してリング３５とともに嵌入している三ツ割３６は、該リング３５とともに押棒４２を把持したまま案内筒３３の開口部３４’より突出することとなり、結果的に押棒４２を前進させることとなる。
その上、リング３５と三ツ割３６が開口部３４’より一定量突出すると、ホルダー２８の連結孔２９’内に形成された段部３１がリングストッパーとなって、リング ３５のみが該段部３１と当接して停止することから、三ツ割３６と分離し、該三ツ割３６はその停止したリング３５より更に前進して拡開し、押棒４２に対する把持を解除するものとなる。すなわち、押棒４２は尾栓１４への打突によりノック筒４０が前進することで、三ツ割３６に把持されたままカートリッジ体５のＯリング１０及びブッシュ１１による把持部１２の圧力に抗しながら前進するものである。従って、三ツ割３６が拡開して押棒４２による把持を解除した後は、該押棒４２はカートリッジ体５のＯリング１０及びブッシュ１１による把持部１２のみによって把持されるものとなる。
その後、該尾栓１４への打突をやめると、尾栓１４はもとよりスライダー２５及びノック筒４０は案内筒３３内の圧縮されたスプリング３９の弾発力により後退し、更に該ノック筒４０の先端部に三ツ割３６の連結部３６’が固持されているので、三ツ割３６も同時に軸筒３内を後退するものとなる。この際、三ツ割３６は後退するにつれ、未だ案内筒３３の開口部３４’には没入していないリング３５内に嵌り込みながら該リング３５とともに案内筒３３の開口部３４’に嵌入する。
その結果、拡開していた三ツ割３６は閉成するとともに、押棒４２を再度把持するものとなる。すなわち、押棒４２は、三ツ割３６が案内筒３３の開口部３４’に嵌入するまでカートリッジ体５のＯリング１０及びブッシュ１１のみに把持されており、該三ツ割３６はリング３５とともに案内筒３３の開口部３４’に嵌入してはじめて押棒４２を把持するので、三ツ割３６自体によっては一旦前進した押棒４２を後退させることはない。
従って、この前進した押棒４２によって芯筒６内の芯チャック７も押勢されることで前進するので、棒状化粧料１３は芯筒６の開口部６’より突出するものとなる。
なお、棒状化粧料１３を芯筒６の開口部６’からより多く突出させるには、前記尾栓１４に対する打突を繰り返せばよい。
【００２６】
また使用後は、尾栓１４を逆方向に回転させると、カム筒１７は同方向に回転するので、スライダー２５の係止突起２６とカム体１８の係止凹部１９との係合は外れることとなる。
その結果、該スライダー２５の係止突起２６によって圧縮されていたスプリング２７は軸筒３後方に向かって伸長するので、スライダー２５は自動的に軸筒３内を後退することになる。
このとき、スライダー２５に固持されたノック筒４０並びに三ツ割３６及びリング３５を介して、ノック機構Ｂを構成する案内筒３３及びホルダー２８も同様に軸筒３内を後方に引張されて後退するので、該ホルダー２８と一体に連結されるカートリッジ体５は迅速に軸筒３内に没入するものとなる。
【００２７】
なお、棒状化粧料１３を保持するカートリッジ体５の交換は、まずカートリッジ体５を軸筒３の開口部３’より最も突出させた状態で、カートリッジ体５を引張することによって、カートリッジ体５をホルダー２８の前側の連結孔２９より引き抜くとともに、ホルダー２８より突出する押棒４２を把持部１２より引き抜くことで解離するので、カートリッジ体５を取り出すことができる。そして、前進した状態となっている押棒４２を指などで軸筒３内へ押し戻した後、新たなカートリッジ体５を軸筒３の開口部３’より挿入するとともに、該カートリッジ体５の把持部１２内に押棒４２を、芯チャック７の外底部７’に当接するまで挿入することで両者を一体にして行うものである。
【実施例２】
【００２８】
図７乃至図１２において示される１０１は、本願発明の実施例２における棒状化粧料容器である。該棒状化粧料容器１０１は、後端に尾栓１３４を回転自在に嵌着する軸筒１０３と、該軸筒１０３前方の開口部１０３’に対して脱着自在となるキャップ１０２とから構成される。
【００２９】
そして上記軸筒１０３内には、脱着自在であって、棒状化粧料１２２を突出可能に収容するカートリッジ体１１０と、上記尾栓１３４と一体となり、軸筒１０３の開口部１０３’より該カートリッジ体１１０を出没させる回転筒１２３、及び該カートリッジ体１１０と回転筒１２３の両者と一体になるとともに、カートリッジ体１１０の出没に際して案内してなる受け筒１３０を内装するものである。
又、軸筒１０３は、その内径が略中央前方部分（カートリッジ体１１０の内装部分に相当する。）と略中央後方部分（回転筒１２３及び尾栓１３４の内装部分に相当する。）とでは異なり、該軸筒１０３の略中央前方部分は軸筒１０３の内径が細径化されることで厚肉部１０５となっており、略中央後方部分においては軸筒１０３の内径が太径化されることで薄肉部１０６となっている。その結果、軸筒１０３の内壁面１０４において該内径の異なる境界において軸筒１０３の円周方向に周縁段部１０９が形成されるものである。そして、内径が細径化されている軸筒１０３の厚肉部１０５には軸筒長手方向に沿って案内溝１０７が設けられており、前記周縁段部１０９において案内溝後端部１０８を形成して途切れている。
【００３０】
ここで上記カートリッジ体１１０は、芯筒１１１、芯チャック１１２、ネジ軸１１５及び回止筒１３８とから構成される。そして、該芯チャック１１２は芯筒１１１内に配設され、その先端側には棒状化粧料１２２を保持する芯チャック本体１２０が、又、後端側には外方へ突出する係合突起１１９を後端縁に対向して有する軸部１１３を有し、該軸部１１３長手方向に雌ネジ孔１１４を穿設する。又、ネジ軸１１５は、後端側の基部１１６と先端側の雄ネジ部１１７とからなり、該雄ネジ部１１７は前記芯チャック１１２の雌ネジ孔１１４と螺合する。回止筒１３８は、その後端縁近傍に外方へ突設する鍔部１３９が周設されるとともに、その前方には２条の案内溝１４１が前後方向に貫通して対向するよう設けられた円筒である。そして、前記ネジ軸１１５の基部１１６は、後方に開口する噛合孔１１８を穿設するとともに、回止筒１３８の後端側に挿入されている。一方、回止筒１３８の先端は前記芯チャック本体１２０の後端に当接しており、前記案内溝１４１には、芯チャック１１２の係合突起１１９が遊嵌されている。更に、ネジ軸１１５と回止筒１３８とは、ネジ軸１１５の基部１１６の後端縁近傍において外方に突出するように周設される係止周縁１２１と、回止筒１３８の後端縁近傍内側において該係止周縁１２１に対応するように凹陥して形成された係止凹部１４２とで形成され、軸方向には離脱不能であって、円周方向には同期して回転しうるよう嵌合してなる回転嵌合部１４５により一体となっている。
【００３１】
又、上記回転筒１２３は、カートリッジ体１１０の前記ネジ軸１１５の基部１１６に穿設する噛合孔１１８に対して噛合自在となる噛合部１２４を先端に配設するとともに、略中央前側部分に円周方向に外方に突出する突出部１２６を周設し、更に後端に互いに対向する位置に２個の係合ピン１２５を外方に突設した上で、後端縁より長手方向に切り込み１２７を形成するものである。
【００３２】
さらに上記尾栓１３４は、軸筒１０３後方に突出する尾栓本体１３５と軸筒１０３内に回転自在に挿嵌される円筒状の挿嵌部１３６からなるとともに、該挿嵌部１３６の側面において内外を貫通し、軸筒１０３の開口部１０３’側に向かって（すなわち前方に向かって）左螺旋状に略半回転するカム溝１３７を、対向して２条刻設するものである。そして、各カム溝１３７の先端部には係止溝１３７’が、先端方向に向かって各カム溝１３７の左側且つ、円筒の挿嵌部１３６の円周方向に設けられる。なお、上記カム溝１３７の後端側は、後述する受け筒１３０に設けられた突起部１３１の外方への突出部が、その遊嵌する軸筒１０３の案内溝１０７の長さ以上に確実に移動しうるよう、挿嵌部１３６の後方へ延長されて、尾栓本体１３４の先端に至っている。
【００３３】
そして、上記回転筒１２３と尾栓１３４とは、次のようにして一体にするものである。即ち、まず尾栓１３４の円筒状の挿嵌部１３６内にスプリング１４４を内装する。次に、回転筒１２３後方を径方向に押勢することで該回転筒１２３の後端縁より長手方向に形成する切り込み１２７を変形させて回転筒１２３を細径化する。その上で該回転筒１２３を係合ピン１２５側より尾栓１３４の挿嵌部１３６内に挿入し、各々の係合ピン１２５を尾栓１３４の挿嵌部１３６に刻設するカム溝１３７内に遊嵌させるとともに、回転筒１２３後端縁に前記スプリング１４４を保持させるものである。そして、スプリング１４４を保持しつつ一体となった回転筒１２３と尾栓１３４とにおいて、後述する受け筒１３０に設けられた突起部１３１の外方への突出部が、その遊嵌する軸筒１０３の案内溝１０７の長さを移動するに足るだけ、回転筒１２３を尾栓１３４の挿嵌部１３６内に深く嵌挿した際においても、前述したようにカム溝１３７の後端側は余分に後方へ延長されているので、回転筒１２３の後端縁はスプリング１４４の弾性により尾栓１３４の尾栓本体１３５との間で間隔を有して逃げ１４８を形成し、更にその際、回転筒１２３の突出部１２６の後端縁と尾栓１３４の先端縁との間にも逃げ１４８が形成されており、回転筒１２３は軸筒長手方向に該逃げ１４８の長さだけ余分に移動可能となっている。
【００３４】
また前記受け筒１３０は、円筒形状であって、その略中央部分において内外方向へ突出する突起部１３１を対向して設け、該突起部１３１の外方への突出部分は、軸筒１０３の内壁面１０４において軸筒長手方向に刻設される案内溝１０７に移動自在となるように遊嵌している。一方、該突起部１３１の内方への突出部分は受け筒１３０の内壁に周回して設けられ、その前方側はカートリッジ体１１０の回止筒１３８の後端縁と当接し、又、後方側は回転筒１２３の段部１２９と当接している。更に、該受け筒１３０自体の前端縁は回止筒１３８の鍔部１３９と当接し、又後端縁は、上記回転筒１２３の突出部１２６に当接している。更に、受け筒１３０と回転筒１２３とは、回転筒１２３の突出部１２６の前方に円周方向に突出するように周設される係止周縁１２８と、受け筒１３０の後端縁近傍において該係止周縁１２８に対応するように凹陥して形成された係止凹部１３３とで形成され、軸方向には離脱不能であって、円周方向には同期して回転しうるよう嵌合してなる回転嵌合部１４６により一体となる。その上、回止筒１３８と受け筒１３０とは、回止筒１３８の後端縁近傍において円周方向に突出するように周設される係止周縁１４３と、受け筒１３０の前端縁近傍において該係止周縁１４３に対応するように凹陥して形成された係止凹部１３３とで形成され、軸方向に脱着可能となる着脱嵌合部１４７により一体となるとともに、更に、回止筒１３８の係止周縁１４３の後方外周面に周設された回止ローレット１４０と、受け筒１３０の突起部１３１前方の内壁面に周設された回止ローレット１３２とを互いに噛合させることで、個別の回転を不能として一体となっている。
【００３５】
即ち、図６に示すように、回転筒１２３、カートリッジ体１１０、及び受け筒１３０とは一体となっているものである。
詳細に説明すれば、回転筒１２３とカートリッジ体１１０のネジ軸１１５とは、回転筒１２３の先端に配設される噛合部１２４と、ネジ軸１１５の基部１１６に穿設する噛合孔１１８との噛合により、又、回転筒１２３と受け筒１３０とは前記回転嵌合部１４６により、更に、カートリッジ体１１０の回止筒１３８と受け筒１３０とは前記着脱嵌合部１４７及び回止ローレット１４０、１３２とによりそれぞれ一体となっている。そして、カートリッジ体１１０内においても、前述のように、ネジ軸１１５と回止筒１３８とが回転嵌合部１４５により一体となっている。
【００３６】
なお、上記受け筒１３０に突設する突起部１３１の外方への突出部分は、軸筒１０３の内壁面１０４の厚肉部１０５において軸筒長手方向に刻設される案内溝１０７内を先後方向へ移動自在となるものである。しかしながら該案内溝１０７は、上述の如く軸筒１０３の内壁面１０４において形成される周縁段部１０９において案内溝後端部１０８を形成して途切れているものである。従って、該案内溝１０７内に先後方向へ移動自在となるように遊嵌される突起部１３１の外方への突出部分は、軸筒１０３内を最も後退すると該案内溝後端部１０８より離脱するものであり、該案内溝１０７より離脱した突起部１３１の外方への突出部分は、周縁段部１０９において軸筒１０３の円周方向に回転自在となる。その結果、使用者が過剰に尾栓１３４を左回転させても、受け筒１３０に突設する突起部１３１の外方への突出部分が軸筒１０３の案内溝１０４から離脱してしまうので、尾栓１３４の回転に合わせて、回転筒１２３、ネジ軸１１５、及び芯チャック１１２が共回りしてしまい、該ネジ軸１１５による芯チャック１１２の後退は阻止され、棒状化粧料１２２の破損を防止できることとなる。
その上、該受け筒１３０と回転嵌合部１４６を介して一体となる回転筒１２３は、尾栓１３４内に内装されたスプリング１４４の弾性によって尾栓１３４から前方へ押勢されているが、前述したように、回転筒１２３の後端縁と尾栓本体１３５との間で間隔を有して逃げ１４８を形成するとともに、回転筒１２３の突出部１２６の後端縁と尾栓１３４の先端縁との間にも逃げ１４８を形成していることから、回転筒１２３は該逃げ１４８の長さだけ後方へ移動可能となっている。その結果、受け筒１３０に突設する突起部１３１の外方への突出部分が遊嵌する案内溝１０７の長さに比して、尾栓１３４の回転による回転筒１２３の移動距離の方が確実に長くなることから、製作に際して各部材の寸法に対して誤差が生じていても、受け筒１３０に突設する突起部１３１の外方への突出部分が軸筒１０３内において最も後退した場合には、確実に案内溝１０７より離脱するものとなる。
また、該回転筒１２３は尾栓１３４内に内装されたスプリング１４４の弾撥力により前方へ押勢されているので、該回転筒１２３と一体となる受け筒１３０も同方向へ押勢されている。従って、該受け筒１３０が軸筒１０３内を最も後退して案内溝１０７より離脱していても、尾栓１３４を右回転させることで同期して回転する受け筒１３０に突設する突起部１３１の外方への突出部分は、案内溝後端部１０８にその位置が合致すると、該スプリング１４４の弾撥力により再度案内溝１０７内に遊嵌されるものとなる。
【００３７】
以上のように、本願発明の実施例２における棒状化粧料容器１０１は構成されるので、使用者は次のようにして上記棒状化粧料容器１０１を使用に供するものである。
すなわち、軸筒１０３内部の密閉性を保持するため軸筒１０３の開口部１０３’を閉塞するように装着されているキャップ１０２は、引張することによって軸筒１０３より脱離する。
次に、軸筒１０３の後端に回転自在に嵌着する尾栓１３４を最大で１８０°右回転させると、受け筒１３０が回転筒１２３を介してスプリング１４４の弾撥力により前方へ押勢されていることから、軸筒１０３の内壁面１０４に刻設された案内溝１０７の案内溝後端部１０８より離脱した状態で、周縁段部１０９において軸筒１０３の円周方向に回転自在となっていた受け筒１３０の突起部１３１の外方への突出部分が、周縁段部１０９に形成する案内溝後端部１０８より案内溝１０７内に遊嵌されることとなる。
そして、尾栓１３４の挿嵌部１３６は、該挿嵌部１３６の螺旋状に略半回転するカム溝１３７に遊嵌する回転筒１２３の係合ピン１２５を該カム溝１３７に沿って案内しながら回転するので、該回転筒１２３は前進し、最終的に回転筒１２３の係合ピン１２５がカム溝１３７の先端部の係止溝１３７’に係合する。このとき、係止溝１３７’は円周方向に設けられているので、回転筒１２３はそれ以上前進することができないものとなる。この回転筒１２３の前進に伴って、回転筒１２３と一体となる受け筒１３０も、その突起部１３１の外方への突出部を案内溝１０７内に遊嵌しつつ前進することとなる。
そしてこの回転筒１２３及び受け筒１３０の前進に伴って、カートリッジ体１１０も前方へ移動して軸筒１０３の開口部１０３’より突出して固持される。このとき、回転筒１２３の係合ピン１２５は、カム溝１３７先端において挿嵌部１３６の円周方向に設けられた係止溝１３７’に係合しているので、尾栓１３４を右回転させてもカートリッジ体１１０が前進することはなく、又、逆にカートリッジ体１１０に対して前方からの押圧力が作用しても、軸筒１０３の開口部１０３’より突出したカートリッジ体１１０が、軸筒１０３内へ押し戻されることはない。
その上で、更に尾栓１３４を右回転させると、先ず回転筒１２３の係合ピン１２５が尾栓１３４のカム溝１３７の係止溝１３７’に係合しているので、尾栓１３４と回転筒１２３とは共回りすることとなる。この回転筒１２３の回転によって、回転嵌合部１４６によって同期して回転しうるよう一体となっている受け筒１３０も回転しようとするが、該受け筒１３０の突起部１３１の外方への突出部分が軸筒１０３の案内溝１０７に遊嵌されていることから、受け筒１３０は回転することができず、回転筒１２３だけがその回転嵌合部１４６における摩擦に抗して回転することとなる。一方、この回転筒１２３の回転は、噛合部１２４と噛合孔１１８との噛合によって、ネジ軸１１５に伝達される。該ネジ軸１１５は回転嵌合部１４５によって回止筒１３８と同期して回転しうるよう一体となっているものの、該回止筒１３８は受け筒１３０との間で回止ローレット１３２、１４０の噛合によって個別の回転が不能となるよう一体となっている。即ち、尾栓１３４の回転は回転筒１２３の先端に配設する噛合部１２４とカートリッジ体１１０のネジ軸１１５の噛合孔１１８との噛合を介して、ネジ軸１１５に伝達される。この時、ネジ軸１１５の回転に伴って回止筒１３８も同期して回転しようとするものの、回止筒１３８は、その突起部１３１の外方への突出部を軸筒１０３の案内溝１０７に遊嵌することによって回転不能となっている受け筒１３０との間で、回止ローレット１３２、１４０の噛合によって個別の回転が不能となるように一体となっていることから回転せず、ネジ軸１１５は回止筒１３８との間の回転嵌合部おける摩擦に抗して回転することとなる。
その結果、回転するネジ軸１１５の雄ネジ部１１７と螺合する雌ネジ孔１１４を有する芯チャック１１２は、該芯チャック１１２の係合突起１１９が回転しない回止筒１３８の案内溝１４１へ遊嵌しているため前方へ案内され、該芯チャック１１２に保持される棒状化粧料１２２は芯筒１１１の開口部１１１’より突出するものとなる。
【００３８】
また、使用後には、尾栓１３４を逆回転（左回転）させると、まず回転筒１２３の係合ピン１２５とカム溝１３７先端の係止溝１３７’との係合が解除される。
そしてさらに回転させることで、該尾栓１３４のカム溝１３７は遊嵌して一体となる回転筒１２３の係合ピン１２５を案内しつつ回転することによって、回転筒１２３は軸筒１０３内を後退する。このとき、受け筒１３０と回転筒１２３との回転嵌合部１４６の摩擦により、一体になって後退し、従ってカートリッジ体１１０も軸筒内を後退するものとなる。
その結果、カートリッジ体１１０は迅速に軸筒１０３内に没入するものとなる。
なお、前述のようにカム溝１３７の後端部が延長されているので、尾栓１３４を左回転させた際、軸筒１０３の内壁面１０４の案内溝１０７内に遊嵌されている受け筒１３０に突設する突起部１３１の外方への突出部分を、尾栓１３４と回転筒１２３との間の逃げ１４８の分だけ余分に後退させることができ、各部材の寸法にバラ付きがあったとしても、突起部１３１の外方への突出部分を確実に案内溝１０７の案内溝後端部１０８より離脱させることができる。このため、一旦カートリッジ体１１０を軸筒１０３内に没入させた後、さらに尾栓１３４を左回転させても、受け筒１３０に突設する突起部１３１の外方への突出部分は軸筒１０３の内壁面１０４の案内溝１０７より離脱しているので、回転筒１２３の回転と同期して空転する。従って、回転筒１２３と回転嵌合部１４６を介して一体となる受け筒１３０、該受け筒１３０と着脱嵌合部１４７及び回止ローレット１３２、１４０を介して一体となる回止筒１３８、該回止筒１３８と回転嵌合部１４５を介して一体となるとともに、前記回転筒１２３と噛合部１２４と噛合孔１１８を介して一体となるネジ軸１１５の全てが、尾栓１３４の回転に合わせて一体に回転することとなる。そのため、芯筒１１１内において棒状化粧料１２２を保持する芯チャック１１２がネジ軸１１５に対して後退することがないことから、該棒状化粧料１２２の芯筒１１１内への没入に伴う棒状化粧料１２２の破損を防止できるものである。
【００３９】
なお、棒状化粧料１２２を保持するカートリッジ体１１０の交換は、まずカートリッジ体１１０を軸筒１０３の開口部１０３’より最も突出させた状態で引張することによって、カートリッジ体１１０の回止筒１３８と受け筒１３０との着脱嵌合部１４７及び回止ローレット１３２、１４０の噛合が解離するとともに、軸筒１０３内の回転筒１２３の先端に配設される噛合部１２４とカートリッジ体１１０におけるネジ軸１１５の噛合孔１１８の噛合が解離することによって、カートリッジ体１１０を取り出すことができるものとなる。そして、新たなカートリッジ体１１０を軸筒１０３内に挿入して、上記受け筒１３０と回止筒１３８との着脱嵌合部１４７及び回止ローレット１３２、１４０の噛合によって該回止筒１３８と受け筒１３０とを一体にするとともに、ネジ軸１１５の噛合孔１１８を軸筒１０３内の回転筒１２３先端の噛合部１２４に噛合させることで両者を一体としてなるものである。
【産業上の利用可能性】
【００４０】
本願発明は、棒状化粧料だけでなく、棒状の糊等の接着剤の繰出容器としても適用することができる。
【図面の簡単な説明】
【００４１】
【図１】本願発明の実施例１の棒状化粧料容器の正面図である。
【図２】本願発明の実施例１の棒状化粧料容器の使用時における正面図である。
【図３】本願発明の実施例１の棒状化粧料容器の軸筒の縦断面図である。
【図４】図３のＡ−Ａ横断面図である。
【図５】本願発明の実施例１の棒状化粧料容器の分解構造斜視図である。
【図６】本願発明の実施例２の棒状化粧料容器の正面図である。
【図７】本願発明の実施例２の棒状化粧料容器の使用時における正面図である。
【図８】本願発明の実施例２の棒状化粧料容器の軸筒の縦断面図である。
【図９】本願発明の実施例２の回転筒と尾栓との結合を示す分解正面図である。
【図１０】本願発明の実施例２の回転筒と尾栓との結合を示す縦断面図である。
【図１１】本願発明の実施例２の回転筒と尾栓との結合を示す要部拡大断面図である。
【符号の説明】
【００４２】
１  棒状化粧料容器
２  キャップ
３  軸筒
３’  開口部
４  案内溝
５  カートリッジ体
６  芯筒
６’  開口部
７  芯チャック
７’  外底部
８  凹陥部
９  貫通孔
１０  Ｏリング
１１  ブッシュ
１２  把持部
１３  棒状化粧料
１４  尾栓
１５  凹陥孔
１６  止め筒
１６’  係止突縁
１７  カム筒
１８  カム体
１９  係止凹部
２０  傾斜縁
２１  係合部
２２  係止縁
２３  カム筒基部
２４  垂直縁
２５  スライダー
２６  係止突起
２７  スプリング
２８  ホルダー
２９、２９’  連結孔
３０  貫通孔
３１  段部
３２  係止突縁
３３  案内筒
３４  先端部
３４’  開口部
３５  リング
３６  三ツ割
３６’  連結部
３７  案内筒基部
３８  段部
３９  スプリング
４０  ノック筒
４１  突起部
４２  押棒
４３  段部
１０１  棒状化粧料容器
１０２  キャップ
１０３  軸筒
１０３’  開口部
１０４  内壁面
１０５  厚肉部
１０６  薄肉部
１０７  案内溝
１０８  案内溝後端部
１０９  周縁段部
１１０  カートリッジ体
１１１  芯筒
１１１’  開口部
１１２  芯チャック
１１３  軸部
１１４  雌ネジ孔
１１５  ネジ軸
１１６  基部
１１７  雄ネジ部
１１８  噛合孔
１１９  係合突起
１２０  芯チャック本体
１２１  係止周縁
１２２  棒状化粧料
１２３  回転筒
１２４  噛合部
１２５  係合ピン
１２６  突出部
１２７  切り込み
１２８  係止周縁
１２９  段部
１３０  受け筒
１３１  突起部
１３２  回止ローレット
１３３  係止凹部
１３４  尾栓
１３５  尾栓本体
１３６  挿嵌部
１３７  カム溝
１３７’  係止溝
１３８  回止筒
１３９  鍔部
１４０  回止ローレット
１４１  案内溝
１４２  係止凹部
１４３  係止周縁
１４４  スプリング
１４５、１４６  回転嵌合部
１４７  着脱嵌合部
１４８  逃げ  
Ａ  カートリッジ体出没機構
Ｂ  ノック機構
【図１】
2008194115.tif 000003
【図２】
2008194115.tif 000004
【図３】
2008194115.tif 000005
【図４】
2008194115.tif 000006
【図５】
2008194115.tif 000007
【図６】
2008194115.tif 000008
【図７】
2008194115.tif 000009
【図８】
2008194115.tif 000010
【図９】
2008194115.tif 000011
【図１０】
2008194115.tif 000012
【図１１】
2008194115.tif 000013